(57)【要約】標準精細度テレビジョン信号（２０及び３０又は４０）を高精細度マトリックスディスプレイ（１０）上に表示する方法は、受信された信号を与えるために標準精細度テレビジョン信号を受信する段階（２２）と、サンプリングされたディジタルビデオ信号を与えるために受信された信号をサンプリングする段階（２４）と、順次走査線信号を与えるためにサンプリングされたディジタルビデオ信号をインタレース解除する段階（２６）とを含む。方法は更に、フレームの中にビデオの所定の数の有効走査線を与えるために順次走査線信号を倍増する段階（３４又は４２）と、短くされた垂直帰線期間中に高精細度マトリックスディスプレイ上に所定の数のビデオの有効走査線を表示する段階（３４又は４６）とを含む。
2004536473.tif 000002
【特許請求の範囲】
【請求項１】
高精細度マトリックスディスプレイ（１０）上に標準精細度テレビジョン信号を表示する方法であって、
受信された信号を与えるために標準精細度テレビジョン信号を受信する段階（２２）と、
サンプリングされたディジタルビデオ信号を与えるために前記受信された信号をサンプリングする段階（２４）と、
順次走査線信号を与えるために前記サンプリングされたディジタルビデオ信号をインタレース解除する段階（２６）と、
フレーム中に所定の数のビデオの有効走査線を与えるために前記順次走査線信号を倍増する段階（３４又は４２）と、
短くされた垂直帰線期間中に高精細度マトリックスディスプレイ上に前記所定の数のビデオの有効走査線を表示する段階（３４又は４６）とを含む方法。
【請求項２】
前記倍増段階の前に前記順次走査線信号をメモリに格納する段階（３２）を更に含む、請求項１記載の方法。
【請求項３】
前記倍増段階は、標準９６０ｐ信号を生成するために順次走査線信号の各走査線をメモリから２回読み出す段階（３４）を含み、前記順次走査線信号は４８０ｐ信号である、請求項１記載の方法。
【請求項４】
フレーム中に順次走査線信号の各走査線を増倍したものを生成し順次走査線信号をメモリに書き込むのに用いられた間隔よりも短い間隔中にフレームをディスプレイへ伝送するのに十分に速い速度で順次走査線信号の各走査線をメモリから読み出す段階（３４）を更に含む、請求項２記載の方法。
【請求項５】
前記より短い時間はディスプレイの上方及び下方で伝送された黒走査線の伝送について補償する、請求項４記載の方法。
【請求項６】
所定の数のビデオの有効走査線に対応する信号をメモリに書き込む段階と、
所定の数のビデオの有効走査線に対応する信号をメモリに書き込むのに用いられた時間間隔よりも短い時間間隔でメモリから前記所定の数のビデオの有効走査線を読み出す段階とを更に含む、請求項１記載の方法。
【請求項７】
所定の数のビデオの有効走査線に対応する信号はメモリから読み出され垂直帰線期間の約８８％でディスプレイへ伝送される９６０ｐのフレームである、請求項６記載の方法。
【請求項８】
高精細度マトリックスディスプレイ（１０）上に標準精細度テレビジョン信号を表示する方法であって、
受信された信号を与えるために標準精細度テレビジョン信号を受信する段階（２０）と、
サンプリングされたディジタルビデオ信号を与えるために前記受信された信号をサンプリングする段階（２４）と、
順次走査線信号を与えるために前記サンプリングされたディジタルビデオ信号をインタレース解除する段階（２６）と、
フレーム中に所定の数のビデオの有効走査線を与えるために前記順次走査線信号を増倍する段階（４２）と、
所定の数の有効走査線を含むフレームをメモリに格納する段階（４４）と、
前記フレームをメモリから読み出し、短くされた垂直帰線期間中で前記フレームを高精細度マトリックスディスプレイへ伝送する段階（４８）とを含む方法。
【請求項９】
前記短くされた垂直帰線期間は垂直帰線期間の約８８％である、請求項８記載の方法。
【請求項１０】
増倍段階（４２）は、標準９６０ｐ信号を生成するために前記順次走査線信号の各走査線を繰り返す段階を含み、前記順次走査線信号は４８０ｐ信号である、請求項８記載の方法。
【請求項１１】
前記フレームを格納する段階（４４）は、９６０ｐ信号をメモリに格納する段階を含む、請求項８記載の方法。
【請求項１２】
前記より短い期間は、ディスプレイの上方及び下方で伝送された黒走査線の伝送について補償する、請求項８記載の方法。
【請求項１３】
前記所定の数の有効走査線に対応する信号は、メモリから読み出され垂直帰線期間の約８８％でディスプレイへ伝送される９６０ｐフレームである、請求項８記載の方法。
【発明の詳細な説明】
【０００１】
［発明の分野］
本発明はビデオ信号処理に関連し、特に高精細度マトリクスディスプレイ上に標準精細度ビデオを表示することに関する。
【０００２】
［発明の背景］
高精細度テレビジョン（ＨＤＴＶ）に使用される１９２０×１０８０ディスプレイは、ＮＴＳＣといった標準精細度ビデオのためにも利用可能であるべきである。これを許容可能に達成する手段が必要とされる。これまでのところ、そして今でも、ＨＤＴＶ受像機は、ＣＲＴを用いるものである。この種類のディスプレイでは、信号はＨＤＴＶ走査速度に再フォーマットされえ、又は、走査は標準精細度信号のために変更されえ、又は、この２つの組合せが使用されうる。後者の２つの方法は、マトリックスディスプレイ（例えば液晶ディスプレイ又はＬＣＯＳ（ｌｉｑｕｉｄ ｃｒｙｓｔａｌ ｏｎ ｓｉｌｉｃｏｎ）ディスプレイ）には利用可能でなく、ＨＤＴＶ走査速度のための再フォーマット方法はあまりにも複雑であり及び／又はマトリックスディスプレイ中の画質を低下させうる。
【０００３】
本発明は、マトリックスディスプレイ中の画質を大きく低下させることなくＨＤＴＶ受像機によって用いられるマトリックスディスプレイ上の標準精細度ビデオの表示を容易とすることを目的とする。
【０００４】
［発明の概要］
本発明の第１の実施例では、高精細度マトリックスディスプレイ、又は、液晶ディスプレイ（ＬＣＤ）やｌｉｑｕｉｄ ｃｒｙｓｔａｌ ｏｎ ｓｉｌｉｃｏｎ（ＬＣＯＳ）ディスプレイといった１０８０走査線ディスプレイは、まずビデオをインタレース解除し次に結果として得られた（望ましくは４８０走査線又は４８０ｐ信号の形の）順次走査線信号をこの信号をメモリに書き込むことによってディスプレイの一部に配置することにより、標準精細度テレビジョン信号（ＮＴＳＣ信号）によって駆動される。順次走査線信号の各走査線は、所定の数のビデオの有効走査線（望ましくは標準９６０ｐの形）を生成するためにメモリから２回読み出される。画像の上方と下方で黒走査線が伝送されるとき、所定の数の有効走査線をディスプレイへ伝送するための時間は短くなる。短くなった伝送時間について補償するため、順次走査線信号（４８０の有効走査線）は、４８０の有効走査線をメモリに書き込むのに用いられた時間よりも短い時間でメモリから（２回）読み出される。
【０００５】
本発明の他の実施例では、高精細度ディスプレイ、又は、ＬＣＤやＬＣＯＳディスプレイといった１０８０走査線ディスプレイは、まずビデオをインタレース解除し、次に各走査線を繰り返し、次に結果として得られる順次走査線信号（望ましくは９６０の有効走査線）をこの信号をメモリに書き込むことによってディスプレイの一部に配置することにより、ＮＴＳＣ信号によって駆動される。画像の上方及び下方の黒走査線を伝送するとき、ディスプレイへ有効走査線を伝送する時間は短くなり、従ってメモリからの有効走査線の読み出しは有効走査線をメモリに書き込むのに用いられた時間よりも短い時間で行われる。
【０００６】
［望ましい実施例の詳細な説明］
本発明の特徴及び利点は、例として与えられる以下の説明から更に明らかとなろう。図１を参照するに、１９２０×１０８０ディスプレイといった典型的な高精細度マトリックスディスプレイ１０が示されている。ディスプレイは、望ましくは、１０８０の行を含み、各行は１９２０の画素を有する。上の６０行と下の６０行は望ましくは黒画素を表示し、中央の９６０行は有効なビデオを表示する。ディスプレイは、ＬＣＤ又はＬＣＯＳディスプレイといったマトリックスディスプレイであることが望ましい。
【０００７】
ここで図２を参照するに、受信されたＮＴＳＣビデオ信号がブロック２２において受信され、一ライン当たり１９２０サンプル（行に含まれる画素数に対応する）又はその約数（例えば９６０）のサンプルを生じさせるサンプリング周波数でブロック２４においてサンプリングされることが望ましい。結果として得られるディジタルビデオは、ブロック２６において、４８０順次走査線信号又はフレーム（４８０ｐ）といった順次走査線信号へインタレース解除される。その後、４８０ｐ信号は、受信されたＮＴＳＣ信号がＨＤＴＶマトリックスディスプレイ上で表示されうるよう処理方法Ａ（図３）又は処理方法Ｂ（図４）に従って処理されうる。
【０００８】
ここで図３の処理方法３０を参照するに、順次走査線信号即ち４８０ｐ信号は、ブロック３２においてメモリに書き込まれる。その後、ブロック３４において、ディスプレイの上６０本の走査線のために黒走査線が伝送される。次に、格納された走査線を望ましくは垂直帰線期間の約８８％である短くされた垂直帰線期間中に取り出すのに十分に速い速度で、メモリの読み出しが行われる。垂直帰線期間は、ここでは所与の順次走査線信号のために高精細度マトリックスディスプレイの全ての行を表示するのにかかる時間を意味するものと理解されるべきである。４８０本の走査線のみが格納されていたため、所望の９６０本の走査線を生成するには各走査線は２回繰り返され伝送されねばならない。通常のＮＴＳＣ垂直有効期間（即ち期間の９１．４％）に９６０本の走査線が形成されるため、メモリが使用される。
【０００９】
ここで図４の他の処理方法４０を参照するに、４８０ｐ信号の各走査線は、ブロック４２において９６０ｐ標準精細度信号といった所定の数の有効走査線に対応する信号を形成するために繰り返される（２回使用される）。９６０ｐ信号は、ブロック４４においてメモリに書き込まれる。次に、ブロック４６において、格納された走査線を垂直帰線間隔の約８８％で取り出すのに十分に速い速度でメモリの読み出しを行う。より短い期間は、ディスプレイの上方及び下方で伝送された黒走査線の伝送について補償する。通常のＮＴＳＣ垂直有効期間（即ち期間の９１．４％）に９６０本の走査線が形成されるため、メモリが使用される。
【００１０】
尚、図３及び図４の実施例は、従来の高精細度マトリックスディスプレイにおける表示又は特別なカスタマイズのために必ずしも多くの処理を必要としない。
【００１１】
本発明は、本願に記載の実施例に関連して説明されたが、上述の説明は例のためのものであって、請求の範囲に記載の本発明の範囲を制限することを意図したものではない。
【図面の簡単な説明】
【図１】
典型的な１９２０×１０８０ディスプレイを示す図である。
【図２】
本発明によるＮＴＳＣビデオ信号処理方法の初期段階を示すフローチャートである。
【図３】
本発明による高精細度マトリックスディスプレイ上に表示するためにＮＴＳＣビデオ信号を処理する方法を示すフローチャートである。
【図４】
本発明による高精細度マトリックスディスプレイ上に表示するためにＮＴＳＣビデオ信号を処理する他の方法を示すフローチャートである。
【図１】
2004536473.tif 000003
【図２】
2004536473.tif 000004
【図３】
2004536473.tif 000005
【図４】
2004536473.tif 000006
【国際公開パンフレット】
2004536473.tif 000007
2004536473.tif 000008
2004536473.tif 000009
2004536473.tif 000010
2004536473.tif 000011
2004536473.tif 000012
2004536473.tif 000013
2004536473.tif 000014
2004536473.tif 000015
2004536473.tif 000016
【国際公開パンフレット（コレクトバージョン）】
2004536473.tif 000017
2004536473.tif 000018
【国際調査報告】
2004536473.tif 000019